(57)【特許請求の範囲】
【請求項１】
室内換気用のファンと、該ファンの回転速度を制御し普通換気リレーを有する速度制御装置とを備え、該速度制御装置により、連続運転により所定の面積の換気が可能な前記ファンの常時換気速度Ｎlと、これより高速で所望の換気が可能な前記ファンの普通換気速度Ｎhとに切換え、かつ常にどちらかで運転するようになっている住宅用換気装置であって、
前記普通換気リレー（１５）は、既設の換気用スイッチで作動し、該作動により前記ファンを普通換気速度Ｎhに切換え、
前記普通換気リレー（１５）は、既設の電源（８）に前記換気用スイッチを介して接続され前記換気用スイッチで作動する作動部（Ｒ２）と、前記ファンのモータに電圧を印加するための電圧印加配線に設けられる被作動部（２ａ，２ｂ）と、を有し、
前記電圧印加配線は、前記常時換気速度Ｎlで前記ファンを回転させるための常時換気用配線と、前記普通換気速度Ｎhで前記ファンを回転させるための普通換気用配線とを含み、
前記作動部の前記作動により前記被作動部が動作することで、前記モータに電圧を印加するのに使用する配線が、前記常時換気用配線から前記普通換気用配線に切り換えられ、
前記モータは、段階制御型モータであり、
前記常時換気用配線は、前記常時換気速度Ｎlで前記ファンを回転させるために前記段階制御型モータにおける常時換気用接点に接続されるものであり、前記普通換気用配線は、前記普通換気速度Ｎhで前記ファンを回転させるために前記段階制御型モータにおける普通換気用接点に接続されるものである、ことを特徴とするリフォーム用換気装置。
【請求項２】
前記常時換気用配線は、前記常時換気用接点と前記ファンの駆動に使用する電源とを接続するためのものであり、前記普通換気用配線は、前記普通換気用接点と前記ファンの駆動に使用する前記電源とを接続するためのものである、ことを特徴とする請求項１に記載のリフォーム用換気装置。
【請求項３】
本体フレームを４点吊りし、かつ既設の吊りボルトによって２点吊りされる吊りアダプター（１１）を更に備え、該アダプターは、吊りボルトの下端部がそれぞれ通る前後方向と幅方向の長穴を有する、ことを特徴とする請求項１または２に記載のリフォーム用換気装置。
【請求項４】
前記普通換気速度Ｎhは、複数の切換え可能な速度からなる、ことを特徴とする請求項１〜３のいずれかに記載のリフォーム用換気装置。
【発明の詳細な説明】
【０００１】
【発明の属する技術分野】
本発明は、既設の換気装置に換えて設置するリフォーム用換気装置に係わり、更に詳しくは、外気が常に室内に導入され室内空気を常に清浄に維持するリフォーム用換気装置に関する。
【０００２】
【従来の技術】
近年、住宅の高気密化・高断熱化が進み、十分な換気を行わないと二酸化炭素濃度が高くなりすぎたり、特に新築住宅などではホルムアルデヒドや揮発有機化合物（ＶＯＣ：Vapor Organic Composition ）の濃度が高くなりすぎることがある。更に、不十分な換気により湿度が高くなってカビやダニが発生し、アレルギーを引き起こすことがある。
【０００３】
そのため、マンション等の気密性の高い室内空気を常に清浄に維持するには、従来から住宅に設置されている換気装置を活用して換気を頻繁に行うことが望ましいが、現実には、ファンの作動音を嫌ったり、電気代を節約する等のために、従来は十分な換気がなかなか行われていなかった。
その結果、甚だしい場合には、閉め切った室内で開放型暖房器具を長時間換気なしで使用して酸欠状態に陥いることがあった。また、暖房器具等を用いない場合でも、長時間の睡眠中に呼吸により排出される二酸化炭素により室内の二酸化炭素濃度が高まり、頭痛等を引き起こすことがあった。更に、特に新築等では入居後初期の段階では換気を怠ることにより、カーペット、フローリング、クロス等の建材から発生するホルムアルデヒドやＶＯＣの濃度ががまんできないレベルまで上昇することがあった。また、建材以外でも家具を購入したり、カーテンをクリーニングしたりすると、これらの濃度が上昇することがある。
【０００４】
これらの問題を未然に防止するために、近年、集合住宅なとで、浴室や洗面所などの換気装置を利用して、低風量で２４時間換気を行う換気システム（例えば、特願平９−３５３１３４号、特願平１０−８８３２９号、いずれも未公開）が注目されている。これらの換気システムは、図５に例示するように、常時換気速度Ｎl と普通換気速度Ｎh で運転可能なファン１を備え、浴室洗面所やトイレの使用時には強風量（普通換気速度）で換気し、通常は作動音が低く電気代も少ない低風量（常時換気速度）で２４時間換気を行うものである。これは、高密化が進んだ現在の集合住宅（例えばマンション）では、たとえ低風量であっても、連続的に換気することで浴室や洗面所のみならず住戸内全体の換気の流れが形成されることが明らかになってきたからである。なお、図５で、２ａ，２ｂ，２ｃはそれぞれ普通換気風量切替用，普通換気入切用，常時換気風量切替用のスイッチ、３は段階制御型モータである。
【０００５】
【発明が解決しようとする課題】
一方、既存の集合住宅における浴室や洗面所、トイレなどの換気装置は、ＯＮ−ＯＦＦスイッチによって換気ファンが作動する単純な構造のものが一般的である。この種の換気装置は、大風量であるが騒音が大きいため、通常は連続的に運転されず、使用時のみ作動させた後にスイッチを切っている。しかし、近年の健康指向によって、故障やリフォーム等の換気扇の交換時に、上述した２４時間換気システムへ適用できる換気装置への交換が望まれるようになってきている。
【０００６】
しかし、既存の換気装置を図５に例示した２４時間換気用の換気装置に置き換えようとすると、特にマンション等の集合住宅の場合、以下の問題が生じる。
▲１▼１つは、配線の改修の問題である。一般の集合住宅では、図６に模式的に示すように、住戸内廊下、洗面所、トイレ等は換気用ダクトの配管スペースの必要から二重天井となっており、天井部分については比較的容易に新たな配線をすることができるが、各部屋を仕切る間仕切壁４は、壁内に縦横に走る木軸が邪魔となり配線の改修が困難な状態となっている。なお、この図で、５はユニットバス、６はユニットバスの上方に設置された既設の換気装置である。
ところで、既設の換気装置の配線は、図７に示すとおり、換気装置６への電源供給配線の中途（例えば洗面所ならびにトイレ）にＯＮ−ＯＦＦの換気用スイッチ７ａ，７ｂを設け、その接点の開閉によって換気装置６を作動させる配線となっている。そのため、換気装置６を新たな２４時間換気装置（図５参照）に交換し、単純に配線を接続しただけでは、洗面所あるいはトイレのスイッチ７ａ，７ｂで接点を開いた場合は電源８から電気が供給されず、２４時間換気装置を作動させることができない問題点がある。また、これらの配線をやり直そうとしても、配線の一部が壁内に配線され、かつ既設の換気用スイッチ７ａ，７ｂは壁面に設けられているため、間仕切壁４を壊して新設する等の大工事を行わない限り、改修が不可能な状態となっている。
【０００７】
▲２▼いま１つの問題は、図８に例示するように、従来の換気装置６は、コンクリートの天井スラブにアンカーを設け、アンカーから吊りボルト６ａによって２点吊りで固定されている例が多い。この場合、２４時間換気用の換気装置は、４点吊りが必要な箱型形状であるため、わずかな天井内空間を利用して新たな吊りボルト用のアンカーをコンクリートの天井スラブに形成することは不可能に近く、しかも、換気装置は、浴室（ユニットバス）の天井裏部分に設置されていることも多く、浴室の天井を壊して作業することはできないという問題点があった。
【０００８】
本発明は、上述した問題点を解決するために創案されたものである。すなわち、本発明の主目的は、大工事を行うことなく既設の換気装置と交換することができ、既設の配線及びスイッチをそのまま生かして従来通りの換気運転ができ、かつ所望の２４時間換気を確実に行うことができるリフォーム用換気装置を提供することにある。更に、別の目的は、天井スラブに新たな吊りボルト用のアンカーを設けることなく、既設の２本の吊りボルトをそのまま用いて容易かつ確実に設置できるリフォーム用換気装置を提供することにある。
【０００９】
【課題を解決するための手段】
本発明によれば、室内換気用のファンと、該ファンの回転速度を制御し普通換気リレーを有する速度制御装置とを備え、該速度制御装置により、連続運転により所定の面積の換気が可能な前記ファンの常時換気速度Ｎlと、これより高速で所望の換気が可能な前記ファンの普通換気速度Ｎh とに切換え、かつ常にどちらかで運転するようになっている住宅用換気装置であって、
前記普通換気リレー（１５）は、既設の換気用スイッチで作動し、該作動により前記ファンを普通換気速度Ｎhに切換え、
前記普通換気リレー（１５）は、既設の電源（８）に前記換気用スイッチを介して接続され前記換気用スイッチで作動する作動部（Ｒ２）と、前記ファンのモータに電圧を印加するための電圧印加配線に設けられる被作動部（２ａ，２ｂ）と、を有し、
前記電圧印加配線は、前記常時換気速度Ｎlで前記ファンを回転させるための常時換気用配線と、前記普通換気速度Ｎhで前記ファンを回転させるための普通換気用配線とを含み、
前記作動部の前記作動により前記被作動部が動作することで、前記モータに電圧を印加するのに使用する配線が、前記常時換気用配線から前記普通換気用配線に切り換えられ、
前記モータは、段階制御型モータであり、
前記常時換気用配線は、前記常時換気速度Ｎlで前記ファンを回転させるために前記段階制御型モータにおける常時換気用接点に接続されるものであり、前記普通換気用配線は、前記普通換気速度Ｎhで前記ファンを回転させるために前記段階制御型モータにおける普通換気用接点に接続されるものである、ことを特徴とするリフォーム用換気装置が提供される。前記常時換気用配線は、前記常時換気用接点と前記ファンの駆動に使用する電源とを接続するためのものであり、前記普通換気用配線は、前記普通換気用接点と前記ファンの駆動に使用する前記電源とを接続するためのものであってよい。
【００１０】
本発明の構成により、少なくとも常時換気速度Ｎlでファンが連続運転され、所定の面積の換気を確実に行うことができ、所望の２４時間換気を確実に行うことができる。また、この常時換気速度Ｎlは、低速であるため、運転音が小さく使用者が全く気にならない程度に設定することができ、かつモータの回転速度が低いので必要電力も少なくなる。更に、洗面所やトイレのＯＮ−ＯＦＦ用の既設の配線及びスイッチに、普通換気リレー（１５）を接続するだけで、既設の電源でこのリレーを作動させ、ファンを普通換気速度Ｎhに切換えることにより、従来通りの換気運転ができる。従って、既設の配線はまったくいじることなく、普通換気リレー（１５）の端子に接続しなおすだけであり、大工事を行うことなく既設の換気装置と交換することができ、既設の配線及びスイッチをそのまま生かして従来通りの換気運転ができ、かつ所望の２４時間換気を確実に行うことができる。前記ファンは、段階制御型モータにより駆動するので、安価でシンプルな構成とすることができる。
【００１１】
本発明の好ましい実施形態によれば、本体フレームを４点吊りし、かつ既設の吊りボルトによって２点吊りされる吊りアダプター（１１）を更に備え、該アダプターは、吊りボルトの下端部がそれぞれ通る前後方向と幅方向の長穴を有する。
この構成によれば、吊りボルトの数が合わない場合でも、アダプタ（１１）により本体フレームを４点吊りすることができ、かつ前後方向と幅方向の長穴によりアダプタ自体を長穴の長さの範囲で前後方向及び幅方向に位置決めして既設の吊りボルトによって２点吊りすることができる。
【００１２】
また、前記普通換気速度Ｎhは、複数の切換え可能な速度からなる。この構成により、使用者の好みにより、所望の換気ができる。
【００１３】
【発明の実施の形態】
以下、本発明の好ましい実施形態を図面を参照して説明する。なお、各図において共通する部分には同一の符号を付し、重複した説明を省略する。
図１は、本発明のリフォーム用換気装置を用いた配線系統図である。この図に示すように、本発明のリフォーム用換気装置１０は、図７に示した既設の換気装置６と交換して同じ位置に設置し、かつ、既設の換気用スイッチ７ａ，７ｂ及び電源８の配線をそのまま所定の端子（後述するＴ９，Ｔ１０）に接続する。既設の換気装置６を本発明のリフォーム用換気装置１０に交換することは、例えばユニットバス５（図６参照）に設けられたメンテナンス用の開口等を用いて、間仕切壁４を壊すことなく比較的容易に実施することができる。
【００１４】
更に、このリフォーム用換気装置１０には、リモコン２１、新設電源２２、アース２３、浴室乾燥機用接点２４、等を接続する。これらの接続は、周知の端子台や速結端子を用いて容易に行うことができる。また、これらの接続機器は、メンテナンス用の開口等を用いて接続し、新設した換気装置１０に近い壁等に取り付けることで、容易に設置することができる。なお、浴室乾燥機用接点２４は、浴室乾燥機を併用しない場合には、不要である。
【００１５】
図２は、図１のリフォーム用換気装置の内部配線系統図である。この図に示すように、前述の既設配線、リモコン２１、新設電源２２、アース２３、及び浴室乾燥機用接点２４は、端子Ｔ１〜Ｔ１２にそれぞれ接続される。
リフォーム用換気装置１０は、室内換気用のファンと、ファンの回転速度を制御する速度制御装置とを備え、速度制御装置により、連続運転により所定の面積の換気が可能なファンの常時換気速度Ｎl と、これより高速で所望の換気が可能なファンの普通換気速度Ｎh とに切換え、かつ常にどちらかで運転するようになっている。すなわち、このリフォーム用換気装置１０は、段階制御型モータ１２、常時換気風量切替スイッチ１３、モード切替リレー１４、普通換気リレー１５、及び強風換気リレー１６を内蔵し、これらにより速度制御装置を構成している。
【００１６】
段階制御型モータ１２は、図示しない室内換気用のファンを駆動し、このファンにより、バスルーム、洗面室、トイレ等の複数の箇所から屋外に強制的に排気するようになっている。この段階制御型モータ１２は巻線形モータの主巻種と補助巻種の比を変えることにより複数の速度（例えば５種）が得られるようになっている。すなわち、モータ１２に付した１〜５の接点とＣＯＭ接点との間に電圧が印加された場合にモータが作動する。また、接点１〜５の順で速度が増大し、接点１で最も低速になり、接点５で最も高速となる。接点１又は２の速度が連続運転により所定の面積の換気が可能なファンの常時換気速度Ｎl であり、接点３〜５の速度が高速で所望の換気が可能な普通換気速度Ｎh である。
ＣＯＭ接点は端子Ｔ５を介して電源２２に直結されている。モータ１２の接点３〜５は、端子Ｔ１〜Ｔ３を介してリモコン２１の普通換気風量切替スイッチ２１ａの３つの接点（例えば強，中，弱）にそれぞれ接続されている。スイッチ２１ａは、３つの接点のいずれにも接続しないＯＦＦ状態に設定することもできる。
【００１７】
常時換気風量切替スイッチ１３は、常時換気における風量を設定する手動スイッチであり、あらかじめ換気面積（例えばマンションの広さ）に応じて、１又は２のいずれかに切り換えておく。
モード切替リレー１４は、電磁ソレノイドＲ１とその接点１ａからなり、リモコン２１のモード切替スイッチ２１ｂのＯＮ／ＯＦＦにより、接点１ａをＯＮ／ＯＦＦし、モータ１２の接点１，２への電源供給をＯＮ／ＯＦＦできるようになっている。日常的にはこのスイッチ２１ｂはＯＮのままにし、常に接点１ａを閉じ、常時換気ができるようになっている。なお、長期外出時等にこのスイッチ２１ｂを切る（ＯＦＦにする）ことにより、常時換気を完全に作動停止することができる。
【００１８】
普通換気リレー１５は、電磁ソレノイドＲ２とその接点２ａ，２ｂからなり、洗面所やトイレ用の既設の電源８と換気用スイッチ７ａ，７ｂでソレノイドＲ２を作動させ、接点２ａを閉じ接点２ｂを開くようになっている。接点２ａが閉じることにより、新設電源２２が普通換気風量切替スイッチ２１ａを介してモータ１２の接点３〜５のいずれかに接続され、モータ１２を接点３〜５に相当する高速で回転することができる。
強風換気リレー１６は、電磁ソレノイドＲ３とその接点３ａ，３ｂからなり、乾燥機用接点２４により作動するようになっている。乾燥機用接点２４が閉じると、接点３ｂが開き接点３ａが閉じて、モータ１２の接点５に新設電源２２が接続され最大速度でモータ１２を回転する。
【００１９】
上述した構成により、モード切替スイッチ２１ｂをＯＮにしている限り、接点３ａ，３ｂ及び接点２ａ，２ｂを介してモータ１２のいずれかの速度接点に常に電源が供給される。従って、換気用スイッチ７ａ，７ｂや普通換気風量切替スイッチ２１ａを切断している状態でも、少なくとも常時換気速度Ｎl でファンが連続運転され、所定の面積の換気を確実に行うことができ、所望の２４時間換気を確実に行うことができる。また、この常時換気速度Ｎl は、低速であるため、運転音が小さく使用者が全く気にならない程度に設定することができ、かつモータの回転速度が低いので必要電力も少なくなる。
更に、洗面所やトイレのＯＮ−ＯＦＦ用の既設の配線及びスイッチに、普通換気リレー１５を接続するだけで、既設の電源でこのリレーを作動させ、ファンを普通換気速度Ｎh に切換えることにより、従来通りの換気運転ができる。従って、既設の配線はまったくいじることなく、普通換気リレー１５の端子に接続しなおすだけであり、大工事を行うことなく既設の換気装置と交換することができ、既設の配線及びスイッチをそのまま生かして従来通りの換気運転ができ、かつ所望の２４時間換気を確実に行うことができる。
【００２０】
図３は、本発明のリフォーム用換気装置の別の内部配線系統図である。この図の系統図では、図２におけるモード切替リレー１４が省略され、モード切替スイッチ２１ｂのＯＮ／ＯＦＦにより、モータ１２の接点１，２への電源供給を直接ＯＮ／ＯＦＦできるようになっている。その他の構成は、図２と同様である。
【００２１】
図４は、本発明のリフォーム用換気装置の設置状態を示す模式的斜視図である。この図に示すように、本発明のリフォーム用換気装置１０は、その本体フレーム１０ａを４点吊りし、かつ既設の吊りボルトによって２点吊りされる吊りアダプター１１を更に備える。このアダプター１１は、既設の吊りボルト６ａの下端部がそれぞれ通る前後方向と幅方向の長穴１１ａ，１１ｂを有する。また、アダプター１１には、本体フレーム１０ａを４点吊りするための４つの吊り穴１１ｃを本体フレームに対応した位置に備えている。
この構成により、吊りボルトの数が合わない場合でも、アダプタ１１により本体フレーム１０ａを４本の吊りボルト１８により４点吊りすることができ、かつ前後方向と幅方向の長穴１１ａ，１１ｂによりアダプタ自体を長穴の長さの範囲で前後方向及び幅方向に位置決めして既設の吊りボルトによって２点吊りすることができる。
【００２２】
上述したように、本発明のリフォーム用換気装置は、電源供給配線の中途（たとえば洗面所並びにトイレ）にＯＮ−ＯＦＦの接点スイッチが設けられた配線を接続するための端子が設けられ、この端子には接点の開閉に連動して作動する普通換気リレー１５（例えばリードスイッチ）が設けられ、その作動電源を既設の電源供給配線から供給する。
この構成により、普通換気リレー１５（リードスイッチ）の電源供給を既設の配線の電源から供給することで、既設の配線はまったくいじることなく、新規換気装置の端子に接続すればよくなる。
【００２３】
また、本換気装置の交換方法は、以下のとおりである。
▲１▼まず、浴室の天井点検口を開け、既設の換気装置６からダクト等を取り外し、配線を端子から取り外し、吊りボルト６ａから換気装置６を取り外す。
▲２▼  次に、住戸内分電盤から新たな電源供給配線を住戸内天井を利用して配線する。住戸内分電盤から換気装置の位置まで直線的に配線できない場合は、切替えし部分に天井点検口を新たに形成して配線する。次に本発明のリフォーム用換気装置１０を吊りボルト６ａに固定する。その際、吊りボルトの数が合わない場合は、アダプタ１１を介して固定する。そして、ダクトおよび配線を接続する。換気装置のコントローラ２１は、浴室の入口の近くに設け、換気装置からの配線は、浴室の壁と間仕切壁を形成する木軸との隙間を通して配線する。
【００２４】
なお、本発明は上述した実施形態に限定されるものではなく、本発明の要旨を逸脱しない範囲で種々に変更できることは勿論である。例えば、上述の説明では、既設の換気装置を交換する場合について詳述したが、本発明はこれに限定されず、換気装置を新設する場合にもそのまま適用することができる。
【００２５】
【発明の効果】
上述したように、本発明のリフォーム用換気装置は、大工事を行うことなく既設の換気装置と交換することができ、既設の配線及びスイッチをそのまま生かして従来通りの換気運転ができ、かつ所望の２４時間換気を確実に行うことができ、更に、天井スラブに新たな吊りボルト用のアンカーを設けることなく、既設の２本の吊りボルトをそのまま用いて容易かつ確実に設置できる、等の優れた効果を有する。
【図面の簡単な説明】
【図１】本発明のリフォーム用換気装置を用いた配線系統図である。
【図２】図１のリフォーム用換気装置の内部配線系統図である。
【図３】本発明のリフォーム用換気装置の別の内部配線系統図である。
【図４】本発明のリフォーム用換気装置の設置状態を示す模式的斜視図である。
【図５】先に出願した２４時間換気用の換気装置の系統図である。
【図６】既設換気装置の設置状態を示す模式図である。
【図７】既設換気装置の設置状態を示す別の模式図である。
【図８】既設換気装置の天井スラブへの設置状態を示す別の模式図である。
【符号の説明】
１  ファン
２ａ，２ｂ，２ｃ  スイッチ
３  段階制御型モータ
４  間仕切壁
５  ユニットバス
６  既設の換気装置
６ａ  既設の吊りボルト
７ａ，７ｂ  既設の換気用スイッチ
８  電源
１０  リフォーム用換気装置
１０ａ  本体フレーム
１１  アダプタ
１１ａ，１１ｂ  長穴
１１ｃ  吊り穴
１２  段階制御型モータ
１３  常時換気風量切替スイッチ
１４  モード切替リレー
１５  普通換気リレー
１６  強風換気リレー
１８  吊りボルト
２１  リモコン
２１ａ  普通換気風量切替スイッチ
２１ｂ  モード切替スイッチ
２２  電源
２３  アース
２４  浴室乾燥機用接点
【図１】
0004135828.tif 000002
【図２】
0004135828.tif 000003
【図３】
0004135828.tif 000004
【図４】
0004135828.tif 000005
【図５】
0004135828.tif 000006
【図６】
0004135828.tif 000007
【図７】
0004135828.tif 000008
【図８】
0004135828.tif 000009